(57)【要約】【課題】従来に比して、より自身に適した制御が行われることを可能とする携帯電子機器及び通信システムを提供すること。【解決手段】複数の機能を有する携帯電子機器であって、外部装置から送信される所定の機能の機能制限を要求する機能制限要求信号を受付ける通話用マイク１１２と、前記通話用マイク１１２によって受付けられた機能制限要求信号を解析し、前記複数の機能の中から当該機能制限要求信号に応じて機能制限する所定の機能を選択し、当該選択された所定の機能を制限する制御部１１７と、を備える。【選択図】図４
2010011079.tif 000002
【特許請求の範囲】
【請求項１】
複数の機能を有する携帯電子機器であって、
外部装置から送信される所定の機能の機能制限を要求する機能制限要求信号を受付ける受付部と、
前記受付部によって受付けられた機能制限要求信号を解析し、前記複数の機能の中から当該機能制限要求信号に応じて機能制限する所定の機能を選択し、当該選択された所定の機能を制限する制御部と、
を備えることを特徴とする携帯電子機器。
【請求項２】
前記所定の機能の起動を指示する指示部を備え、
前記制御部は、前記所定の機能の起動が前記指示部より指示されたとき、前記受付部による前記機能制限要求信号の受信の有無を確認し、
前記受付部が前記機能制限要求信号を受付け、当該受信された前記機能制限要求信号が前記所定の機能を制御するものであると解析した場合、前記所定の機能を起動させない
ことを特徴とする請求項１に記載の携帯電子機器。
【請求項３】
前記受付部は、音波受付部であり、
前記機能制限要求信号は、音波からなる信号である
ことを特徴とする請求項１または２に記載の携帯電子機器。
【請求項４】
無線通信部を備え、
前記音波受付部は、前記無線通信部によって行われる音声送話に用いられる通話用マイクである
ことを特徴とする請求項３に記載の携帯電子機器。
【請求項５】
前記所定の機能はカメラ部及び無線通信部の少なくとも一方で、
前記制御部は、前記機能制限要求信号に基づいて前記所定の機能を制限する
ことを特徴とする請求項１から３のいずれか一つに記載の携帯電子機器。
【請求項６】
請求項１から５のいずれか一つに記載の携帯電子機器と、
前記機能制限要求信号を発信する情報発信部と、
を備える通信システム。
【請求項７】
前記情報発信部は、所定の可聴音を発生させることが可能な放送用スピーカであり、
前記受付部は、前記所定の可聴音を受付け可能な通話用マイクである、
ことを特徴とする請求項６に記載の通信システム。
【発明の詳細な説明】
【技術分野】
【０００１】
本発明は、外部の信号を受付可能な携帯電子機器及び通信システムに関する。
【背景技術】
【０００２】
近年、携帯電話機が市場に普及すると同時に、例えば電車内などの公共の場において携帯電話機が使用されるといった悪いマナーが問題視されている。
【０００３】
このような問題に対応して、例えば特許文献１に記載された技術による対策が提案されている。この技術は、ＲＦＩＤ（Ｒａｄｉｏ  Ｆｒｅｑｕｅｎｃｙ  Ｉｄｅｎｔｉｆｉｃａｔｉｏｎ）送信機によって特定のエリアに存在する携帯電話機の機能を制限するというものである。
【特許文献１】特開２００３−０８７３９９号公報
【発明の開示】
【発明が解決しようとする課題】
【０００４】
しかしながら、従来技術に記載されている技術は、送信機から発信された要求を、携帯電話機の制御部がそのまま行うというものであった。従って、携帯電話機が有する複数の機能を制限するように要求するには、送信機は多数の要求信号を放送しなければならなかった。従って、携帯電話機の制御部は、送信機の要求に基づいて、所定の機能を最適に制限することが難しかった。
【０００５】
本発明は係る問題に対してなされたものであり、従来に比して、より自身に適した制御を行うことを可能とする携帯電子機器及び通信システムを提供することを目的とする。
【課題を解決するための手段】
【０００６】
本願発明に係る携帯電子機器は、複数の機能を有する携帯電子機器であって、外部装置から送信される所定の機能の機能制限を要求する機能制限要求信号を受付ける受付部と、前記受付部によって受付けられた機能制限要求信号を解析し、前記複数の機能の中から当該機能制限要求信号に応じて機能制限する所定の機能を選択し、当該選択された所定の機能を制限する制御部と、を備えることを特徴とする。
【０００７】
さらに好適には、前記携帯電子機器は、前記所定の機能の起動を受け付ける入力部を備え、前記制御部は、前記所定の機能の起動が前記入力部より受け付けられたとき、前記受付部による前記機能制限要求信号の受信の有無を確認し、前記受付部が前記機能制限要求信号を受信し、当該受信された前記機能制限要求信号が前記所定の機能を制御するものであると解析した場合、前記所定の機能を起動させないことを特徴とする。
【０００８】
さらに好適には、前記携帯電子機器は、前記受付部は、音波受付部であり、前記機能制限要求信号は、音波からなる信号であることを特徴とする。
【０００９】
さらに好適には、前記携帯電子機器は、無線通信部を備え、前記音波受付部は、前記無線通信部によって行われる音声送話に用いられる通話用マイクであることを特徴とする。
【００１０】
さらに好適には、前記所定の機能はカメラ部及び無線通信部の少なくとも一方で、前記制御部は、前記機能制限要求信号に基づいて前記所定の機能を制限することを特徴とする。
【００１１】
本願発明の題２の観点による通信システムは、前記携帯電子機器と、前記機能制限要求信号を発信する情報発信部と、を備えることを特徴とする。
【００１２】
さらに好適には、前記通信システムは、前記情報発信部は、所定の可聴音を発生させることが可能な放送用スピーカであり、前記受付部は、前記所定の可聴音を受付け可能な通話用マイクである、ことを特徴とする。
【発明の効果】
【００１３】
本発明によると、従来に比して、より自身に適した制御が行うことを可能とする携帯電子機器及び通信システムを提供することが可能となる。
【発明を実施するための最良の形態】
【００１４】
以下、本発明の実施の形態を図面に基づいて説明する。
【００１５】
図１は、本発明における携帯電子機器の実施形態の一つである携帯電話機１００の正面の斜視図である。
【００１６】
携帯電話機（携帯電子機器）１００は、扁平の略直方体状に形成される第１筐体１０１及び第２筐体１０２を有し、これらを重ねるように折り畳み可能なフォルダ型携帯電話として構成されている。図示のように、第１筐体１０１及び第２筐体１０２は、各々その長手方向を上下方向とし、第１筐体１０１の上辺部に第１ヒンジ部を備えると共に、第２筐体１０２の下辺部に第２ヒンジ部を備え、これら第１ヒンジ部、第２ヒンジ部及び不図示のヒンジ軸によって、ヒンジ機構１０６が形成される。
【００１７】
第１筐体１０１の前面には各種の操作ボタンからなる操作部１０５（指示部）が配列されると共に、前面下部に通話用マイク１１２が配設されている。また、第２筐体１０２の前面には液晶表示装置等の表示部１０３が配設されると共に、前面上部に通話用スピーカ１１３が配設されている。
【００１８】
図２は、携帯電話機１００の背面の斜視図である。 HYPERLINK "http://www8.ipdl.inpit.go.jp/Tokujitu/tjitemdrw.ipdl?N0000=235&N0500=4E#N/;%3E9%3E7?==%3C///&N0001=18&N0552=9&N0553=000004" \t "tjitemdrw" 図２に示すように、第１筐体１０１の背面には着脱可能なバッテリが収納されるバッテリ収納部１２１、背面上部には、向かって左側に着信音用スピーカ１２２が、右側に伸縮可能のアンテナ１２３が各々配設されている。また、第２筐体１０２の背面の中央部には時刻や着信を表示する液晶表示装置等の簡易表示部１２４が配設され、第２筐体１０２の背面のヒンジ機構１０６側には、横長長丸状の窓部１２５が設けられている。この窓部１２５には、第２筐体１０２に内装されるカメラ部１２６のレンズ窓が設けられている。そして、この携帯電話機１００は、レンズ窓を被写体に向け、所定の操作ボタンを操作することで、表示部１０３内に表示される被写体の画像を撮影することが可能となっている。なお、カメラ部１２６の隣にはミラーが設けられ、携帯電話機１００の使用者が自らを撮影する際の構図等を確認できるようにされている。
【００１９】
図３は、携帯電話機１００の主要な構成を示したブロック図である。
【００２０】
表示部１０３は、前述したとおり第２筐体１０２に配置され、例えばアドレス帳、受信メール内容などを制御部１１７の制御に従って表示する。
【００２１】
操作部１０５は、前述したとおり操作ボタンを備え、第１筐体１０１に配置される。操作部１０５は、ユーザによって操作ボタンが押下されると、その押下を入力信号へと変換し制御部１１７へと伝える。
【００２２】
通話用マイク１１２は、アンテナ１２３にて通信を行う通信相手に送信する音声情報の入力を受け付ける。具体的には、通話用マイク１１２から入力された音声は、音声信号に変換され、当該音声信号は、制御部１１７及び通信部１１５（無線通信部）によって通信信号へ変換される。変換された後の通信信号は、アンテナ１２３を介して外界へ電磁波として発信され、基地局を介して通話相手の用いている通信装置へと送信される。
【００２３】
通話用スピーカ１１３は、通話用マイク１１２とは逆に、アンテナ１２３にて通信を行う通信相手から受信する音声を出力する。具体的には、基地局を介して通話相手の通信装置から送信される電波をアンテナ１２３が受信して電気信号へと変換する。この電気信号は、通信部１１５及び制御部１１７によって復号され、音声信号へ変換されてから通話用スピーカ１１３に伝達される。そして、この音声信号は、通話用スピーカ１１３によって音声として出力される。
【００２４】
カメラ部１２６は、外界の映像を撮像するために用いられる。具体的には、ユーザによってカメラ部起動の操作を操作部１０５が受け付けると、制御部１１７は、カメラ部１２６を起動する。同時に、制御部１１７は、表示部１０３にカメラ部１２６によって撮影されている画像をリアルタイムで表示させる（プレビュー画像）。そして操作部１０５より撮影の操作を受け付けた際、制御部１１７は、カメラ部１２６によって撮影されている映像を不図示の記憶部に記憶させる。
【００２５】
制御部１１７は、前述したように他の電子部品の制御を行う。具体的には、制御部１１７は、例えばカメラ部１２６によって撮影された映像のデータを表示部１０３へ表示させたり、操作部１０５から電話通信開始の入力を受け付けると、通信部１１５に基地局との交信を行わせたりする。
【００２６】
図４は、本願発明の１実施形態である携帯電話機１００によって、カメラ部１２６の機能を制限する様子を示したシーケンス図である。
【００２７】
最初、操作部１０５によってカメラ部１２６の起動を受け付ける（Ｓ４０１）。次に、制御部１１７は、通話用マイク１１２を起動し、通話用マイク１１２に外界の音を集音させ、その音に対して音声認識を開始させる（Ｓ４０２）。通話用マイク１１２が外界の音に対して音声の受付けを開始した後、制御部１１７は、通話用マイク１１２がカメラ禁止音声（機能制限要求信号）を受付けたかどうかの問い合わせを行い、当該問い合わせに対して通話用マイク１１２は、制御部１１７へ受付けた結果を伝える（Ｓ４０３）。
【００２８】
前記受付けた結果を通話用マイク１１２より伝達された制御部１１７は、通話用マイク１１２の認識した音声が機能制限要求信号の音声であった場合（Ｓ４０４／Ｙｅｓ）、通話用マイク１１２に音声認識を中止させ（Ｓ４０５）、同時にカメラ部１２６の起動を行わない旨を表示部１０３に表示させて一連の動作を終了する（Ｓ４０６）。
【００２９】
また、逆に通話用マイク１１２の認識した音声が機能制限要求信号でなかった場合（Ｓ４０４／Ｙｅｓ）、制御部１１７は、カメラ部１２６を起動させる。つまり、制御部１１７は、カメラ部１２６による撮影を制限せず、ユーザがカメラ部１２６を使用できる状態にする（Ｓ４０７）。
【００３０】
前述したようにカメラ部１２６を起動した後も、通話用マイク１１２は、起動し続ける。そして、通話用マイク１１２がカメラ禁止音声を認識した際、通話用マイク１１２は、制御部１１７へカメラ禁止音声を認識したことを伝達する（Ｓ４０８）。この通知を受けた制御部１１７は、カメラ部１２６の機能を停止し（Ｓ４０９）、カメラの機能が制限されたことを表示部１０３に表示させる。同時に、制御部１１７は、通話用マイク１１２及び一連の動作も終了させる（Ｓ４０５、Ｓ４０６）。
【００３１】
このようにして、本願発明の一実施形態である携帯電話機１００は、特定のエリア（カメラ禁止音声が放送されている場所）においてカメラ部１２６が使用されようとしたとき、その使用を抑制することが可能となる。また、特定のエリアではない場所においてカメラ部１２６が起動され、カメラ部１２６の起動が維持されたまま特定のエリアに携帯電話機１００が持ち込まれたとしても、通話用マイク１１２は、常にマイク禁止音声が放送されていないかどうかを監視している。従って、ユーザは、特定のエリア内ではカメラ部１２６を使用出来ないようになっている。
【００３２】
図５は、本願発明の様々な実施形態を示した図である。
【００３３】
図５（ａ）は、携帯電話機１００が備えている所定の機能がカメラ部１２６である場合の実施形態について示したものである。この場合、特定のエリアに備え付けられている放送用スピーカ２００（情報発信部）から放送される機能制限要求信号の音声を受信することによって、携帯電話機１００の制御部１１７は、カメラ部１２６の機能を制限することが可能となる。
【００３４】
図５（ｂ）は、携帯電話機１００が備えている所定の機能が通信部１１５である場合の実施形態について示したものである。この場合、特定のエリアに備え付けられている放送用スピーカ２００（情報発信部）から放送される機能制限要求信号の音声を受信することによって、携帯電話機１００の制御部１１７は、通信部１１５の機能を制限することが可能となる。従って、特定のエリアから例えばメール又は音声通信等によって他社と通信を行うことは不可能となるために、特定のエリア内の情報は、漏洩することがなくなる。
【００３５】
また、図５（ｃ）は、携帯電話機１００に備えられている所定の機能がカメラ部１２６及び通信部１１５である場合の実施形態について示したものである。特定のエリアに備え付けられている放送用スピーカ２００（情報発信部）から放送される機能制限要求信号の音声を受信することによって、携帯電話機１００の制御部１１７は、通信部１１５及びカメラ部１２６の両方の機能を制限することが出来る。この実施形態においては、放送用スピーカ２００から放送される機能制限要求信号によって、カメラ部１２６及び通信部１１５どちらによる情報流出も防がれる為に、携帯電話機１００の制御部１１７は、特定のエリアからの情報の漏洩をより強固に防ぐことが可能となる。
【００３６】
このように、制御される放送用スピーカ２００から放送される一種類の機能制限要求信号に応じて、異なる所定の機能を有する複数種類の携帯電話機１００の所定の機能の機能制限を、それぞれの制御部１１７が行うことが可能となる。
【００３７】
なお、このときに放送される音声は、可聴音でもよいし超低周波の音波、または超高周波の音波であってもよい。
【００３８】
以上、本願発明の一実施形態による構成によって、従来に比して、より自身に適した制御が行われることを可能とする携帯電子機器及び通信システムを提供することが可能となる。
【００３９】
具体的には、取得される外部情報を解析することにより、制御部１１７が制御判断を行うため、例えば通信部１１５のみ有している携帯電話機１００の制御部１１７は、機能制限要求信号に基づいて、通信部１１５のみを機能制限する。また、通信部１１５及びカメラ部１２６を有している携帯電話機１００の制御部１１７は、機能制限要求信号に基づいて、通信部１１５及びカメラ部１２６の両者を機能制限するということが可能となる。
【００４０】
また、本願発明の一実施形態において、携帯電話機１００に備えられた機能の制限は、音声情報に基づいて行われる。この方法は、例えば電波情報に基づく機能制限に比して以下の点で優れている。
【００４１】
例えば電波によってカメラ部１２６を遠隔制御しようとした場合、携帯電話機１００が例えばわずか厚さ数ミリメートルの金属によって覆われたとしても、電波は遮断されてしまう。従って、このような場合には携帯電話機１００を遠隔制御できないために、簡単に持ち込み禁止エリアにおいてカメラは使用されてしまう。しかしながら、音波は、例えば数ミリメートル程度の壁ならば通り抜けることが可能なため、何かしらの遮蔽物によって携帯電話機１００が覆われたとしても、携帯電話機１００のマイクに音波が到達する可能性は、電波が到達する可能性よりも大きい。従って、本発明は、電波情報による制御よりも確実に特定のエリア内におけるカメラ撮影を防ぐことが可能となる。
【００４２】
また、音声情報の受付に通話用マイク１１２を用いることによって、従来からある部品は転用されることが可能となる。従って、組み立て工数及び部品配置スペースは、節約されることが可能となる。
【００４３】
また、通信部１１５のみが携帯電話機１００に備えられていれば、制御部１１７は、通信部１１５を制限し、通信部１１５に加えてカメラ部１２６も備えられていれば、制御部１１７は、カメラ部１２６を制限する、という構成を本実施形態は有している。従って、制御部１１７は、制御される携帯電話機１００の種類に応じた最適な制限を行うことが可能となる。
【００４４】
また、通話用マイク１１２が可聴音による所定の音波に基づいて音声認識を行う場合、放送用スピーカ２００は、現在市場に広く流通しているラウドスピーカなどでカメラ部１２６及び通信部１１５の少なくとも一方の制御が可能となる。従って、本願発明にかかる通信ステム導入のコストが小さくなるという効果を奏する。
【００４５】
なお、本願発明は前述した実施形態に限定されない。例えば、放送用スピーカ２００より放送される音声は、人間の聞こえない音（可聴領域外の音）であってもよい。この構成は、特定のエリア内の静寂を保つことを可能とする。また、放送用スピーカ２００から発せられる音声が、特定のエリア内にいる人達の会話等を妨げないという効果をも、本願発明は奏する。
【図面の簡単な説明】
【００４６】
【図１】携帯電話機１００の正面の斜視図である。
【図２】携帯電話機１００の背面の斜視図である。
【図３】携帯電話機１００の主要な構成を示したブロック図である。
【図４】携帯電話機１００によって、カメラ部１２６の機能を制限する様子を示したシーケンス図である。
【図５】本願発明の様々な実施形態を示した図である。
【符号の説明】
【００４７】
１００    携帯電話機
１０１    第１筐体
１０２    第２筐体
１０３    表示部
１０５    操作部
１０６    ヒンジ機構
１１２    通話用マイク
１１３    通話用スピーカ
１１５    通信部
１１７    制御部
１２１    バッテリ収納部
１２２    着信音用スピーカ
１２３    アンテナ
１２４    簡易表示部
１２５    窓部
１２６    カメラ部
２００    放送用スピーカ
【図１】
2010011079.tif 000003
【図２】
2010011079.tif 000004
【図３】
2010011079.tif 000005
【図４】
2010011079.tif 000006
【図５】
2010011079.tif 000007